(57)【特許請求の範囲】
【請求項１】
貯蔵室内を冷却装置の冷却器により冷却すると共に、前記冷却器を除霜する除霜手段を備えて成る冷却貯蔵庫において、
前記貯蔵室内の温度を設定する温度設定手段と、前記貯蔵室内の温度を前記温度設定手段にて設定された設定温度に維持するように前記冷却装置を制御すると共に、前記除霜手段を制御する制御手段とを備え、
該制御手段は、前記貯蔵室内の各設定温度毎に予め算出された除霜周期が格納されたテーブルを有しており、
前記温度設定手段により設定された前記貯蔵室内の設定温度が所定の基準値以上であった場合、前記除霜手段による前記冷却器の除霜を禁止すると共に、
当該設定温度と、前記テーブルに格納された除霜周期に基づき、前記除霜手段による前記冷却器の除霜周期を変更することを特徴とする冷却貯蔵庫。
【請求項２】
貯蔵室内を冷却装置の冷却器により冷却すると共に、前記冷却器を除霜する除霜手段を備えて成る冷却貯蔵庫において、
前記貯蔵室内の温度を設定する温度設定手段と、前記貯蔵室内の温度を前記温度設定手段にて設定された設定温度に維持するように前記冷却装置を制御すると共に、前記除霜手段を制御する制御手段とを備え、
該制御手段は、前記貯蔵室内の各設定温度毎に予め算出された除霜時間が格納されたテーブルを有しており、
前記温度設定手段により設定された前記貯蔵室内の設定温度が所定の基準値以上であった場合、前記除霜手段による前記冷却器の除霜を禁止すると共に、
当該設定温度と、前記テーブルに格納された除霜時間に基づき、前記除霜手段による前記冷却器の除霜時間を変更することを特徴とする冷却貯蔵庫。
【発明の詳細な説明】
【０００１】
【発明の属する技術分野】
本発明は、貯蔵室内を冷却装置の冷却器により冷却すると共に、冷却器を除霜する除霜手段を備えて成る冷却貯蔵庫に関するものである。
【０００２】
【従来の技術】
従来よりこの種の冷却貯蔵庫、例えばプレハブ冷蔵庫などに設置される冷却装置は、長時間冷却運転を行うことにより、冷却装置を構成する冷却器に着霜が生じる。冷却装置は、この冷却器の着霜による冷却効率の低下を回避するため、除霜運転を行う。
【０００３】
係る除霜運転は、通常、冷却装置を制御する制御装置により、一日のうちで予め設定された時刻となると、又は、圧縮機の延べ運転時間が所定時間に達すると、除霜運転開始の除霜開始信号を発し、圧縮機から吐出される高温高圧ガス冷媒を冷却器に流入させ、除霜運転を行っていた。
【０００４】
【発明が解決しようとする課題】
一方、庫内の設定温度又は、冷却器の設定温度が高い場合には、冷却装置の運転率が下がり、冷却器に着霜が生じない又は、冷却器への着霜量が減少する場合がある。しかしながら、通常、冷却装置の除霜運転は、庫内の設定温度又は、冷却器の設定温度にかかわらず、実行されていたため、実際に除霜が行われることなく、無駄に庫内温度を上昇させるという問題があった。
【０００５】
そこで、本発明は従来の技術的課題を解決するために成されたものであり、設定温度に応じて除霜運転を制御することができる冷却貯蔵庫を提供することを目的とする。
【０００６】
【課題を解決するための手段】
本発明の冷却貯蔵庫は、貯蔵室内を冷却装置の冷却器により冷却すると共に、冷却器を除霜する除霜手段を備えて成るものであって、貯蔵室内の温度を設定する温度設定手段と、貯蔵室内の温度を温度設定手段にて設定された設定温度に維持するように冷却装置を制御すると共に、除霜手段を制御する制御手段とを備え、制御手段は、貯蔵室内の各設定温度毎に予め算出された除霜周期が格納されたテーブルを有しており、温度設定手段により設定された貯蔵室内の設定温度が所定の基準値以上であった場合、除霜手段による冷却器の除霜を禁止すると共に、当該設定温度と、テーブルに格納された除霜周期に基づき、除霜手段による冷却器の除霜周期を変更することを特徴とする。
【０００７】
本発明によれば、貯蔵室内を冷却装置の冷却器により冷却すると共に、冷却器を除霜する除霜手段を備えて成る冷却貯蔵庫において、貯蔵室内の温度を設定する温度設定手段と、貯蔵室内の温度を温度設定手段にて設定された設定温度に維持するように冷却装置を制御すると共に、除霜手段を制御する制御手段とを備え、制御手段は、温度設定手段により設定された貯蔵室内の設定温度が所定の基準値以上であった場合、除霜手段による冷却器の除霜を禁止するので、冷却器に着霜が生じ難い状況、即ち、貯蔵室内の設定温度が所定の基準値以上である場合は、冷却器の除霜が行われないこととなり、無駄に貯蔵室内の温度が上昇してしまう不都合を未然に回避することができるようになる。これにより、冷却装置の運転効率を向上させることができるようになる。
【０００８】
また、制御手段は、貯蔵室内の各設定温度毎に予め算出された除霜周期が格納されたテーブルを有しており、設定温度と、テーブルに格納された除霜周期に基づき、除霜手段による冷却器の除霜周期を変更するので、貯蔵室内の設定温度が高い場合には、冷却器の除霜周期を長くすると共に、貯蔵室内の設定温度が低い場合には、冷却器の除霜周期を短くすることができるようになる。
【０００９】
これにより、貯蔵室内の設定温度が低く、冷却器の着霜が著しく生じる場合には、頻繁に除霜を行うことにより、冷却器の冷却効果を向上させることができるようになる。また、貯蔵室の設定温度が高く、冷却器の着霜が生じ難い場合には、除霜周期を長くして除霜を行うため、無駄な貯蔵室内の温度上昇を回避することができると共に、長時間に渡って生じた着霜を効率的に除霜することができるようになる。
【００１０】
請求項２の発明の冷却貯蔵庫は、貯蔵室内を冷却装置の冷却器により冷却すると共に、前記冷却器を除霜する除霜手段を備えて成るものであって、貯蔵室内の温度を設定する温度設定手段と、貯蔵室内の温度を温度設定手段にて設定された設定温度に維持するように冷却装置を制御すると共に、除霜手段を制御する制御手段とを備え、制御手段は、貯蔵室内の各設定温度毎に予め算出された除霜時間が格納されたテーブルを有しており、温度設定手段により設定された貯蔵室内の設定温度が所定の基準値以上であった場合、除霜手段による冷却器の除霜を禁止すると共に、当該設定温度と、テーブルに格納された除霜時間に基づき、除霜手段による冷却器の除霜時間を変更することを特徴とする。
【００１１】
請求項２の発明によれば、貯蔵室内を冷却装置の冷却器により冷却すると共に、冷却器を除霜する除霜手段を備えて成る冷却貯蔵庫において、貯蔵室内の温度を設定する温度設定手段と、貯蔵室内の温度を温度設定手段にて設定された設定温度に維持するように冷却装置を制御すると共に、除霜手段を制御する制御手段とを備え、制御手段は、温度設定手段により設定された貯蔵室内の設定温度が所定の基準値以上であった場合、除霜手段による冷却器の除霜を禁止するので、冷却器に着霜が生じ難い状況、即ち、貯蔵室内の設定温度が所定の基準値以上である場合は、冷却器の除霜が行われないこととなり、無駄に貯蔵室内の温度が上昇してしまう不都合を未然に回避することができるようになる。これにより、冷却装置の運転効率を向上させることができるようになる。
【００１２】
また、制御手段は、貯蔵室内の各設定温度毎に予め算出された除霜時間が格納されたテーブルを有しており、設定温度と、テーブルに格納された除霜時間に基づき、除霜手段による冷却器の除霜時間を変更するので、貯蔵室内の設定温度が高い場合には、冷却器の除霜時間を短くすると共に、貯蔵室内の設定温度が低い場合には、冷却器の除霜時間を長くすることができるようになる。
【００１３】
これにより、貯蔵室内の設定温度が低く、冷却器の着霜が著しく生じる場合には、比較的長い時間、除霜を行うことにより、確実に冷却器の着霜を除去することができ、冷却器の冷却効果を向上させることができるようになる。また、貯蔵室の設定温度が高く、冷却器の着霜が生じ難い場合には、比較的短い時間、除霜を行うことにより、無駄な貯蔵室内の温度上昇を抑制することができる。そのため、冷却器の冷却効果を向上させることができるようになる。
【００１４】
【発明の実施の形態】
次に、図面に基づき本発明の実施形態を詳述する。図１は本発明を適用したプレハブ冷蔵庫等の冷却貯蔵庫１の正面図を示している。この冷却貯蔵庫１は、断熱箱体２によって構成されており、この断熱箱体２内には、図示しない貯蔵室が構成されている。この断熱箱体２は隣り合うパネルとの結合部分に凸部或いは凹部を有した断熱パネル４を組み合わせて箱状に構成されている。
【００１５】
また、断熱箱体２の前壁には貯蔵食品等の物品を出し入れする物品出入口が形成されている。この物品出入口には、当該物品出入口の一側を中心に回動自在に枢支し、当該物品出入口を開閉自在に閉塞すると共に、前記貯蔵室を密閉化する断熱扉５が設けられている。この断熱扉５の側方には、貯蔵室内の温度を任意に設定するための温度設定手段としてのコントローラ３６が設けられている。
【００１６】
そして、断熱箱体２の天壁（天井面）２Ａには矩形状の開口６が形成されており、この開口６を上から閉塞する形で断熱板にて構成されるユニットベース７が取り付けられる。このユニットベース７上には、図２及び図３に示す如く冷却装置Ｒを構成する圧縮機８、凝縮器９及び凝縮機用送風機１０が設置されると共に、電装箱１１及び断熱部材によって構成される冷却箱１２が設置されている。尚、図１では圧縮機８、凝縮器９、凝縮器用送風機１０及び電装箱１１は省略している。このユニットベース７には、冷却箱１２が設置される位置に、前記冷却貯蔵庫の天壁２Ａに形成された開口６よりも少許大きい開口１６が形成されている。また、ユニットベース７の両端には、ハンドル１３、１３が設けられている。
【００１７】
冷却箱１２内には、冷却装置Ｒを構成する冷却器１４が設けられていると共に、この冷却器１４側方には、下方に冷気を吐出する冷却器用送風機１５が設けられている。また、冷却器１４の下方には、ドレンパン（図４を参照）２５が設けられており、このドレンパン２５には、ドレンパンコイル２６が取り付けられる。そして、冷却箱１２の下端には、更にユニットベース７の開口１６縁に取り付けるための切欠が形成されており、これにより、冷却箱１２は、ユニットベース７の開口縁１６Ａに略きっちりと嵌め込むことができる形状とされる。そして、天壁２Ａの開口６下方には、前記貯蔵室内と連通する図示しない冷気ダクトパネルが設けられている。
【００１８】
次に、図４を参照して本発明の冷却装置Ｒの冷媒回路について説明する。図４は冷却装置Ｒの冷媒回路図である。冷却装置Ｒは、前記圧縮機８と、凝縮器９と、弁装置としての液電磁弁２１と、ドライヤ２３と、減圧装置としてのキャピラリーチューブ２２と、熱交換器２４と、冷却器１４とを順次環状に配管接続することにより、冷媒配管が構成されている。また更に、前記圧縮機８の出口側には、三方管２７及びホットガス電磁弁２０を介してドレンパンコイル２６が接続された後、三方管２８を介して冷却器１４の入口側に接続されている。
【００１９】
一方、図５は冷却装置Ｒの電気回路のブロック図である。図５において、３０はマイクロコンピュータにより構成される制御装置であり、この制御装置３０の入力側には、前記貯蔵室内の温度を任意に設定可能とするためのコントローラ３６と、貯蔵室内の温度を検出する温度センサ３１と、前記冷媒回路の高圧側の圧力を検出する圧力検出手段としての圧力センサ３２などが接続されている。また、制御装置３０の出力側には、前記圧縮機８と、前記凝縮器用送風機１０と、前記液電磁弁２１と、前記ホットガス電磁弁２０と、警報手段としての警報ランプ３４などが接続されている。尚、本実施例において、制御装置３０は、タイマ３３を内蔵しているものであるが、別に接続されていてもよいものとする。
【００２０】
以上の構成により、冷却装置Ｒの冷却運転について説明する。圧縮機８の運転が開始されると、圧縮機８の吐出側の冷媒配管から吐出された高温高圧のガス冷媒は、三方管２７を経て制御装置３０よりホットガス電磁弁２０が閉鎖されていることから、凝縮器９に流入する。ここで、凝縮器９から流出された冷媒は、再度圧縮機８に帰還し、前記圧縮機８の吐出側の冷媒配管とは別の冷媒配管から再度凝縮器９に流入する。これにより、凝縮器９にて十分に凝縮液化された冷媒を冷却器１４に流出させることができる。
【００２１】
前記凝縮器９から流出した液化冷媒は、制御装置３０より液電磁弁２１が開放されていることから、液電磁弁２１を経て、ドライヤ２３を介してキャピラリーチューブ２２に流入する。キャピラリーチューブ２２に流入された液冷媒は、減圧された後、熱交換器２４及び三方管２８を介して冷却器１４に流入する。そして、冷却箱１２内に設置された冷却器１４に流入した冷媒は、蒸発し、周囲から熱を奪って冷却作用を発揮する。この冷却器１４と熱交換した冷気を冷却箱１２内に設置された送風機１５にて前記貯蔵室内に循環させ、貯蔵室内を所定の温度に冷却する。そして、冷却器１４から出た冷媒は、熱交換器２４を介して圧縮機８に帰還する。
【００２２】
このとき、制御装置３０は、庫内温度センサ３１の出力に基づき、圧縮機８の運転及び停止の制御を行い、貯蔵室内の温度が所定の温度を維持するように冷却する。尚、制御装置３０に内蔵されたタイマ３３は、冷却運転を開始した時点から当該冷却時間をカウントするものとする。
【００２３】
一方、冷却装置Ｒは、冷却運転を連続して行うことにより、冷却器１４に着霜が生じるため、制御装置３０は、除霜運転を行う。但し、冷却器１４への着霜状態は、貯蔵室内の設定温度によって異なるため、図６に示す如きフローチャートを参照して、各設定温度状態に対応した除霜運転について説明する。
【００２４】
先ずはじめに、制御装置３０は、ステップＳ１において、前記コントローラ３６にて設定された貯蔵室内の設定温度を読み込む。そして、ステップＳ２においてステップＳ１で読み込まれた貯蔵室内の設定温度が＋１５℃以上であるか否かを判断する。ここで、貯蔵室内の設定温度が＋１５℃以上でない場合、即ち、＋１５℃より低い場合には、ステップＳ３に進み、図７のテーブルより当該貯蔵室内の設定温度に対する除霜周期を算出する。
【００２５】
図７は貯蔵室内の各設定温度に対する除霜周期を予め算出し制御装置３０に格納したテーブルであり、本実施例では、貯蔵室内の設定温度が＋４℃以下である場合の除霜周期は７時間、＋５℃である場合の除霜周期は８時間、＋６℃以上である場合の除霜周期は９時間とする。
【００２６】
そして、制御装置３０は、ステップＳ４において、ステップＳ３で算出された除霜周期と、前述の如く制御装置３０のタイマ３３にてカウントされている冷却時間とを比較し、当該冷却時間が除霜周期を経過したか否かを判断する。ここで、冷却時間が除霜周期を経過していない場合には、そのまま冷却運転を継続して行う。
【００２７】
他方、当該冷却時間が除霜周期を経過している場合には、ステップＳ５に進み、除霜開始信号を発生し、除霜運転を開始する。
【００２８】
除霜運転時開始時において、制御装置３０は冷却運転と継続して圧縮機８の運転を行うと共に、前記ホットガス電磁弁２０を開放する。また、ホットガス電磁弁２０が開放されてから所定時間経過後に、液電磁弁２１を閉鎖する。これにより、圧縮機８の吐出側の冷媒配管から吐出された高温高圧のガス冷媒は、三方管２７を経てホットガス電磁弁２０を介して、ドレンパンコイル２６に流入する。ここで、ドレンパンコイル２６は、高温のガス冷媒が通過することにより、加熱され、ドレンパンコイル２６が設けられる前記ドレンパン２５を加熱し、ドレンパン２５に貯留されたドレン水の蒸発及び除霜を行うことができる。
【００２９】
ドレンパンコイル２６を出たガス冷媒は、三方管２８を介して冷却器１４に流入し、冷却器１４の除霜を行う。冷却器１４から流出した冷媒は、熱交換器２４を介して圧縮機８に帰還する。
【００３０】
ここで、制御装置３０は、上述の如く温度設定手段としてのコントローラ３６により設定された貯蔵室内の設定温度が所定の基準値以上、本実施例では、＋１５℃以上であった場合、上述の如き冷却器１４の除霜運転は禁止するので、冷却器１４に着霜が生じ難い状況、即ち、貯蔵室内の設定温度が例えば＋１５℃以上である場合は、冷却器１４の除霜が行われない。そのため、着霜が生じていない状況で無駄に貯蔵室内の温度を上昇させる不都合を未然に回避することができるようになる。これにより、冷却装置Ｒの運転効率を向上させることができるようになる。尚、本実施例では、除霜運転を禁止する温度を＋１５℃以上としてるが、これ以外であってもよいものとする。
【００３１】
また、制御装置３０は、温度設定手段としてのコントローラ３６により設定された貯蔵室内の設定温度に基づき、冷却器１４の除霜周期を変更するので、貯蔵室内の設定温度が高い場合には、冷却器１４の除霜周期を長くすると共に、貯蔵室内の設定温度が低い場合には、冷却器１４の除霜周期を短くすることができるようになる。
【００３２】
これにより、貯蔵室内の設定温度が低く、冷却器１４の着霜が著しく生じる場合には、頻繁に除霜を行うことが可能となり、冷却器１４の冷却効果を向上させることができるようになる。また、貯蔵室の設定温度が高く、冷却器１４の着霜が生じ難い場合には、除霜周期を長くして除霜を行うため、無駄な貯蔵室内の温度上昇を回避することができると共に、長時間に渡って生じた着霜を効率的に除霜することができるようになる。
【００３３】
尚、本実施例では、除霜周期の決定は、各設定温度に対応したテーブルに基づき行っているが、これ以外の方法で除霜周期を算出し、決定してもよいものとする。
【００３４】
次に、他の実施例としての冷却貯蔵庫１の除霜運転制御について図８のフローチャートを参照して説明する。先ずはじめに、制御装置３０は、タイマ３３により例えば一日のうちで予め設定された時刻になると、又は、圧縮機８の延べ運転時間が所定時間に達すると、ステップＳ１０に移行し、前記コントローラ３６にて設定された貯蔵室内の設定温度を読み込む。そして、ステップＳ１１においてステップＳ１０で読み込まれた貯蔵室内の設定温度が＋１５℃以上であるか否かを判断する。ここで、貯蔵室内の設定温度が＋１５℃以上でない場合、即ち、＋１５℃より低い場合には、ステップＳ１２に進み、図９のテーブルより当該貯蔵室内の設定温度に対する除霜時間を算出する。
【００３５】
図９は貯蔵室内の各設定温度に対する除霜時間を予め算出し制御装置３０に格納したテーブルであり、本実施例では、貯蔵室内の設定温度が＋４℃以下である場合の除霜時間は１６分、＋５℃である場合の除霜時間は１５分、＋６℃以上である場合の除霜時間は１４分とする。
【００３６】
そして、制御装置３０は、ステップＳ１３において、ステップＳ１２で算出された除霜時間が経過したか否かを判断し、除霜時間が経過した場合には冷却運転に移行する。除霜時間が経過していない場合、例えば、まだ除霜運転が開始されていない場合には、ステップＳ１４に移行し、詳細は上述の如き除霜運転を行う。尚、除霜運転開始時には制御装置３０はタイマ３３にて除霜運転時間をカウントするものとする。
【００３７】
そして、除霜運転開始後再びステップＳ１３に戻り、除霜時間が経過したか否かを判断し、上述の如く算出された除霜時間を経過するまで、除霜運転を行うものとする。
【００３８】
これにより、制御装置３０は、上記実施例と同様に温度設定手段としてのコントローラ３６により設定された貯蔵室内の設定温度が所定の基準値以上、本実施例では、＋１５℃以上であった場合、上述の如き冷却器１４の除霜運転は禁止するので、冷却器１４に着霜が生じ難い状況、即ち、貯蔵室内の設定温度が例えば＋１５℃以上である場合は、冷却器１４の除霜が行われない。そのため、着霜が生じていない状況で無駄に貯蔵室内の温度を上昇させる不都合を未然に回避することができるようになる。これにより、冷却装置Ｒの運転効率を向上させることができるようになる。尚、本実施例では、除霜運転を禁止する温度を＋１５℃以上としてるが、これ以外であってもよいものとする。
【００３９】
また、制御装置３０は、温度設定手段としてのコントローラ３６により設定された貯蔵室内の設定温度に基づき、冷却器１４の除霜時間を変更するので、貯蔵室内の設定温度が高い場合には、冷却器１４の除霜時間を短くすると共に、貯蔵室内の設定温度が低い場合には、冷却器１４の除霜時間を長くすることができるようになる。
【００４０】
これにより、貯蔵室内の設定温度が低く、冷却器１４の着霜が著しく生じる場合には、比較的長い時間、除霜を行うことにより、確実に冷却器１４の着霜を除去することができ、冷却器１４の冷却効果を向上させることができるようになる。また、貯蔵室の設定温度が高く、冷却器１４の着霜が生じ難い場合には、比較的短い時間、除霜を行うことにより、無駄な貯蔵室内の温度上昇を抑制することができる。そのため、冷却器１４の冷却効果を向上させることができるようになる。
【００４１】
尚、本実施例では、除霜時間の決定は、各設定温度に対応したテーブルに基づき行っているが、これ以外の方法で除霜時間を算出し、決定してもよいものとする。
【００４２】
【発明の効果】
以上詳述した如く、本発明によれば、貯蔵室内を冷却装置の冷却器により冷却すると共に、冷却器を除霜する除霜手段を備えて成る冷却貯蔵庫において、貯蔵室内の温度を設定する温度設定手段と、貯蔵室内の温度を温度設定手段にて設定された設定温度に維持するように冷却装置を制御すると共に、除霜手段を制御する制御手段とを備え、制御手段は、温度設定手段により設定された貯蔵室内の設定温度が所定の基準値以上であった場合、除霜手段による冷却器の除霜を禁止するので、冷却器に着霜が生じ難い状況、即ち、貯蔵室内の設定温度が所定の基準値以上である場合は、冷却器の除霜が行われないこととなり、無駄に貯蔵室内の温度が上昇してしまう不都合を未然に回避することができるようになる。これにより、冷却装置の運転効率を向上させることができるようになる。
【００４３】
また、制御手段は、貯蔵室内の各設定温度毎に予め算出された除霜周期が格納されたテーブルを有しており、設定温度と、テーブルに格納された除霜周期に基づき、除霜手段による冷却器の除霜周期を変更するので、貯蔵室内の設定温度が高い場合には、冷却器の除霜周期を長くすると共に、貯蔵室内の設定温度が低い場合には、冷却器の除霜周期を短くすることができるようになる。
【００４４】
これにより、貯蔵室内の設定温度が低く、冷却器の着霜が著しく生じる場合には、頻繁に除霜を行うことにより、冷却器の冷却効果を向上させることができるようになる。また、貯蔵室の設定温度が高く、冷却器の着霜が生じ難い場合には、除霜周期を長くして除霜を行うため、無駄な貯蔵室内の温度上昇を回避することができると共に、長時間に渡って生じた着霜を効率的に除霜することができるようになる。
【００４５】
請求項２の発明の冷却貯蔵庫によれば、貯蔵室内を冷却装置の冷却器により冷却すると共に、冷却器を除霜する除霜手段を備えて成る冷却貯蔵庫において、貯蔵室内の温度を設定する温度設定手段と、貯蔵室内の温度を温度設定手段にて設定された設定温度に維持するように冷却装置を制御すると共に、除霜手段を制御する制御手段とを備え、制御手段は、温度設定手段により設定された貯蔵室内の設定温度が所定の基準値以上であった場合、除霜手段による冷却器の除霜を禁止するので、冷却器に着霜が生じ難い状況、即ち、貯蔵室内の設定温度が所定の基準値以上である場合は、冷却器の除霜が行われないこととなり、無駄に貯蔵室内の温度が上昇してしまう不都合を未然に回避することができるようになる。これにより、冷却装置の運転効率を向上させることができるようになる。
【００４６】
また、制御手段は、貯蔵室内の各設定温度毎に予め算出された除霜時間が格納されたテーブルを有しており、設定温度と、テーブルに格納された除霜時間に基づき、除霜手段による冷却器の除霜時間を変更するので、貯蔵室内の設定温度が高い場合には、冷却器の除霜時間を短くすると共に、貯蔵室内の設定温度が低い場合には、冷却器の除霜時間を長くすることができるようになる。
【００４７】
これにより、貯蔵室内の設定温度が低く、冷却器の着霜が著しく生じる場合には、比較的長い時間、除霜を行うことにより、確実に冷却器の着霜を除去することができ、冷却器の冷却効果を向上させることができるようになる。また、貯蔵室の設定温度が高く、冷却器の着霜が生じ難い場合には、比較的短い時間、除霜を行うことにより、無駄な貯蔵室内の温度上昇を抑制することができる。そのため、冷却器の冷却効果を向上させることができるようになる。
【図面の簡単な説明】
【図１】  本発明の冷却貯蔵庫の正面図である。
【図２】  冷却装置の斜視図である。
【図３】  冷却装置の平面図である。
【図４】  冷却装置の冷媒回路図である。
【図５】  冷却装置の電気回路ブロック図である。
【図６】  冷却貯蔵庫の除霜運転制御についてのフローチャート図である。
【図７】  貯蔵室内の各設定温度に対する除霜周期を予め算出し制御装置に格納したテーブルを示す図である。
【図８】  他の実施例の冷却貯蔵庫の除霜運転制御についてフローチャート図である。
【図９】  貯蔵室内の各設定温度に対する除霜時間を予め算出し制御装置に格納したテーブルを示す図である。
【符号の説明】
Ｒ  冷却装置
１  冷却貯蔵庫
２  断熱箱体
８  圧縮機
９  凝縮器
１０  凝縮器用送風機
１４  冷却器
２０  ホットガス電磁弁
２１  液電磁弁
２４  熱交換器
２５  ドレンパン
２６  ドレンパンコイル
２７  三方管
３０  制御装置
３１  庫内温度センサ
３２  圧力センサ
３３  タイマ
３６  コントローラ
【図１】
0004240904.tif 000002
【図２】
0004240904.tif 000003
【図３】
0004240904.tif 000004
【図４】
0004240904.tif 000005
【図５】
0004240904.tif 000006
【図６】
0004240904.tif 000007
【図７】
0004240904.tif 000008
【図８】
0004240904.tif 000009
【図９】
0004240904.tif 000010